(57)【特許請求の範囲】
【請求項１】
医療用である無線遠隔計測システムの送信器であって、
前記遠隔計測システムの受信器に対する無線送信を提供するよう構成されたデータ送信ユニットと、
１つ又は２つ以上のセンサを当該送信器に接続するよう構成された接続ユニットと、
当該送信器のハウジング内に配置されて第１のパラメータを検知するよう構成されたローカルセンサとを備え、
前記接続ユニットが、当該送信器の前記ハウジングの外部に配置された１つ又は２つ以上のリモートセンサを当該送信器に接続するよう構成され、
当該送信器は、前記データ送信ユニットによって送信されるべき前記ローカルセンサ及び／又は前記リモートセンサから供給されるデータを選択する選択ユニットをさらに備え、
前記選択ユニットは、帯域幅又はその他の送信経路の制約に従って、並びに、生理学的なデータ、機械的な情報、電気的な情報、警告状況及び／又はステータス状況のうち１つ又は２つ以上に従って、前記送信されるべきデータを自動的に選択することを可能にし、当該選択ユニットは、生理学的なデータ、警告状況及び／又はステータス状況による選択の場合には、適用された前記データを評価し、かつ、機械的な情報及び／又は電気的な情報による選択の場合には、特定のタイプのパラメータを表すコネクタ又は接続のタイプを評価する機能を備える選択ユニットである、無線遠隔計測システムの送信器。
【請求項２】
前記接続ユニットが、任意のセンサを所定のプロトコルを介して当該送信器に接続することを可能にするインターフェイスを提供する、請求項１に記載の送信器。
【請求項３】
前記接続ユニットが、前記接続ユニットに接続された１つ又は２つ以上のセンサからの検知信号を処理する処理ユニットを備えている、請求項１又は２に記載の送信器。
【請求項４】
医療用である無線遠隔計測システムであって、
請求項１ないし３のいずれか一項に記載の送信器と、
受信器とを備えており、
前記送信器及び前記受信器が、それら相互間の無線送信を提供するよう構成されている、無線遠隔計測システム。
【発明の詳細な説明】
【０００１】
【発明の属する技術分野】
本発明は、一般に無線遠隔計測システムに関し、特に医療用無線遠隔計測システムに関する。
【０００２】
【従来の技術】
無線遠隔計測は、一般に、（多かれ少なかれ自動化された）通信プロセスとして定義され、該プロセスにより、測定が行われ、及び／又は、他のデータが遠隔の又は接近できない地点で収集され、及び（無線送信を用いて）受信装置へと送信されて、監視、表示、及び／又は記録が行われる。特に、医療用途では、例えばパルス酸素測定又は心電図記録のために無線計測システムが次第に適用されてきている。以下、用語「遠隔計測」は無線遠隔計測システムについてのみ用いることとする。
【０００３】
遠隔計測システムは、通常は、（例えば測定による）電磁信号を送信するための送信器、及び該送信器から電磁信号を受信する受信器を備えている。現在の医療用の遠隔計測システムの場合、送信器は通常は患者に装着され、受信器はオペレータ室に配置される。大規模なシステムは、多数の送信器及び受信器を有するものとなり得る。各送信器は、通常は、対応する送信器と特定の１チャネルで（好適には所定の搬送周波数にわたり）協働する。
【０００４】
特に、医療用途では、複数の異なるパラメータを同時に監視することが必要となる。かかるパラメータは、心拍数又は酸素飽和度といった、それぞれに固有の測定用の設定を必要とするものである。一方、遠隔計測システムは、場合によっては、患者の快適性、自由度、及びプライバシーの改善のため又は移送中の監視のために意図的に使用される。このため、患者に対して直接的又は間接的に装着される装置の数や体積を小さくすることが望ましい。
【０００５】
医療用の最も一般的な遠隔計測システムは、シングルパラメータ式の遠隔計測システムであり、この場合には、監視対象となる各パラメータ毎に、センサ及び送信器を備えた完全な遠隔計測システムがそれぞれ必要となる。その結果として、病院は、各パラメータ毎に複数の異なる送信器が必要となり、管理(logistics)のための要求が厳しくなり、より一層深刻なことに、１つのパラメータから別のパラメータへと監視対象を変更する度に異なる送信器を患者に使用しなければならない。
【０００６】
Agilent Technologies社 のAgilent Viridia 50 T (M1310A) Fetal Telemetry Systemは、複数のパラメータを監視する一方、必要となる遠隔計測構成要素の数を減らす、という相反する目的に取り組んだものである。該システムは、超音波を介したパラメータ「胎児心拍数(FHR)」の監視又は「直接的な心電図(ＥＣＧ)」の監視を可能にし、及び外部のToco送信器若しくは内部の子宮内圧(ＩＵＰ)トランスデューサを介したパラメータ「子宮活性度」の監視を可能にする。図１に示すように、最大２個のトランスデューサ10,20を、患者に装着された小型軽量送信器30に接続することができる。パラメータ「胎児心拍数」、「子宮活性度」、及び「胎児運動プロフィル(FMP)」を表す信号が、送信器30から遠隔計測受信器（図示せず）に無線周波数を用いて連続的に伝達され、該受信器側においてそれらの信号がモニタ上に表示され記録される。
【０００７】
医療用途でのもう１つの制約は、無線周波数（ＲＦ）チャネルの間隔(spacing)（典型的には25KHz）及び帯域幅が、電気通信上の規制により通常は固定されることにある。帯域幅の制限に起因して伝達可能なデータ量が制限されると共に、低帯域幅パラメータであっても全帯域幅ＲＦチャネルを使用しなければならず、このため、限られたＲＦスペクトルを浪費することとなる。
【０００８】
上述のAgilent Viridia 50 T Fetal Telemetry Systemは、１つのＲＦチャネル内で、及び１つのＲＦ送信器を介して、胎児心拍数(ＦＨＲ)のパラメータ（高帯域幅）と子宮活性度（低帯域幅）とを同時に送信することを可能にするものである。これは、構成要素及び異なる送信器の数を減少させ、それ故、ＲＦ帯域幅の制限に関する問題及び管理上の問題の両方を解決するものとなる。
【０００９】
ＲＦ帯域幅の制限を克服するための（例えばAgilent Technologies のAgilent M2601Aシリーズで適用されているような）別の解決方法は、患者に接続された多くのリード線から１つのＥＣＧ波を選択して該選択された波のみを伝送する選択手段をＥＣＧ送信器に追加することである。更に別の（Agilent M2601Aシリーズにも適用されている）解決方法は、２つのＥＣＧ波(高帯域幅のパラメータ)をＳｐＯ2信号（低帯域幅のパラメータ)と共に送信することである。
【００１０】
【発明が解決しようとする課題】
上述の解決方法は、シングルパラメータ遠隔計測システムに既に大きな改善を提供したものであるが、本発明もまた、患者に直接的又は間接的に装着される装置の数や体積を減らすことにより、必要となる監視上の管理量を減らし、患者の快適性、自由、及びプライバシーを一層改善することを目的とするものである。
【００１１】
【課題を解決するための手段】
本発明は、（好適には医療用の）無線遠隔計測システムにおける独立請求項に記載の送信器を提供し、これにより障害のない(open)多パラメータ遠隔計測システムを提供することにより、該目的を達成する。
【００１２】
第１の態様では、送信器は、通常は送信器のケーシング内に配置されて第１のパラメータを検出する（ローカル）センサと、遠隔計測システムの受信器に対する無線送信を提供するデータ送信ユニットと、１つ又は２つ以上のリモートセンサを送信器に接続する接続ユニットとから物理的に構成される。該送信器は、ローカルセンサからの信号を送信するように構成されているが、接続ユニットに接続されている１つ又は２つ以上のリモートセンサからの信号を更に送信し又は交互に送信することも可能となっている。これにより、別のリモートセンサを接続ユニットに単に接続するだけで１つのパラメータから別のパラメータへと監視を変更することが可能となる。したがって、更なるリモートセンサを接続ユニットに接続することによって更なるパラメータを（限られた伝送帯域幅の制約内で）監視することが可能となる。このため、監視すべきパラメータを変更するために患者に既に装着されている送信器を交換したり患者から取り外したりする必要がなくなる。単純に別のリモートセンサを接続ユニットに接続すれば良い。
【００１３】
好適実施例では、送信器は更に、該送信器によって送信されるべきローカルセンサ及び／又はリモートセンサから供給されるデータを選択する選択ユニットを備えている。該選択ユニットは、送信されるべきデータを（例えば帯域幅その他の伝送路の制約に従って）手動で及び／又は自動的に選択することを可能にする。送信されるべきデータを選択するための考え得る基準としては、生理学的なデータ（例えば、複数のセンサが同一パラメータに関するデータを提供する場合には生理学的に最も意味のあるセンサを選択する）、機械的な情報（例えば、差し込まれているセンサの検出）、電気的な情報（例えば、電極のインピーダンスの検出）、警告状況（例えば、特定の警告が発生した後にパラメータＡを送信する）、及び／又はステータス状況（例えば、患者の特定の状態が検出された場合にのみパラメータＡを送信する）等が挙げられる。
【００１４】
第２の態様では、送信器は、遠隔計測システムの受信器に対して無線送信を提供するデータ送信ユニットと、１つ又は２つ以上のセンサを該送信器に接続する接続ユニットとを備えたものとなる。該接続ユニットは、任意のセンサを所定のプロトコルを介して送信器に接続することを可能にするインターフェースを提供する。
【００１５】
したがって、本発明は、以下のような利点を提供するものとなる。
・ １つのシングルＲＦチャネル内で複数のパラメータを送信することにより、限られた無線周波数スペクトルの利用を最適化する。
・ 管理が容易である。病院は、複数のパラメータ機能を各々が有するごく少数の送信器（又は無線トランスデューサ）しか必要としなくなる。
・ トランスデューサを交換することなく患者側で最適なパラメータを選択することが可能となる。
【００１６】
本発明は、１つ又は２つ以上の適当なソフトウェアプログラムにより部分的に又は全体的に実施することが可能であり、これらのプログラムは、任意のデータ担体に記憶させること又は該データ担体により提供することが可能であり、また適当なデータ処理ユニットにおいて又は該データ処理ユニットにより実行することが可能である。
【００１７】
本発明の他の目的及び付随する多数の利点は、以下の詳細な説明を図面と関連して参照することにより、容易に認識され、また一層良好に理解されよう。実質的に同一又は同様に構成することができる特徴には同一の符号を付してある。
【００１８】
【発明の実施の形態】
図２は、本発明による遠隔計測システム100を示している。送信器110は、送信器ケーシング130内に通常配置されて第１のパラメータを検出する（ローカル）センサ120、遠隔計測システム100の（一般に距離をおいて配置される）受信器150への無線送信を提供するデータ送信ユニット140、処理ユニット160、及び接続ユニット170から物理的に構成される。単純化のために、本書で用いる用語「パラメータ」は、該パラメータの測定され及び／又は検出された信号も意味するものとする。
【００１９】
送信器110のスタンドアロン動作モードでは、センサ120は、第１のパラメータを検出し、その検出信号を処理するために同信号を処理ユニット160へ供給する。該検出信号を受信器150へ送信するために、データ送信ユニット140は、送信すべき信号を処理ユニット160から受信し、該信号を（例えば送信器110のアンテナ180を介して）受信器150（例えばそのアンテナ190）へ送信する。この種のパラメータ検出及び無線送信は、当業界で周知のものであり、ここで詳細に説明する必要はない。
【００２０】
処理ユニット160は、選択ユニット210を制御するために、センサ信号からパラメータを抽出するディジタル信号プロセッサ（ＤＳＰ）及び／又はアナログ信号プロセッサ（例えば、フィルタ、アンプ、ミキサ等からなる）を備えることが可能である。
【００２１】
送信器110は、ローカルセンサ120からの信号を送信するよう設計されているが、接続ユニット170に接続された１つ又は２つ以上のリモートセンサ200i(i=A,B,C,..）からの信号を更に又は交互に送信することも可能にするものである。これにより、別のリモートセンサ200iを接続ユニット170へ単に接続するだけで、１つのパラメータから別のパラメータへ監視を変更すること、又は同一パラメータを監視する異なるセンサ間で監視を変更することが可能となる。単純化のため、以下、「１つのパラメータから別のパラメータへの監視の変更」又はこれに相当する記載は、「同一パラメータを監視する異なるセンサ間での監視の変更」をも包含するものとする。
【００２２】
したがって、接続ユニット170に追加のリモートセンサ200iを接続することにより、（限られた送信帯域幅の制約内で）追加のパラメータを監視することが可能となる。このため、監視すべきパラメータを変更するために、患者に既に装着されている送信器110を交換したり該送信器110を患者から取り外したりする必要が無い。単に、接続ユニット170に別のリモートセンサ200iを接続すればよい。
【００２３】
接続ユニット170は、リモートセンサ200を機械的に固定するための機械部品（例えばコネクタ又はスナップ止め式の接続部）を備えることが可能である。接続ユニット170はまた、リモートセンサ200iとの通信を提供するための部品（例えば、電線、赤外線センサ、及び／又は誘導コイル）を備えることが可能である。そのハードウェアは、（例えばパーソナルコンピュータで知られているような）シリアル又はパラレルポート、（例えばパームトップコンピュータで知られるような）光学的な赤外線リンク、又は当業界で周知のその他の通信リンクによって実施することが可能である。
【００２４】
リモートセンサ200iは、好適には、当業界で周知の配線接続により接続ユニット170に接続される。しかしながら、赤外線接続又は誘導接続といった他の形式の接続もまた使用することが可能である。
【００２５】
用途によっては、検知信号又はパラメータの全てが受信器150に送られるわけではなく、また別の用途では、全ての検知されたパラメータの同時送信が望まれない場合や単純に不可能な場合がある。前者の場合の典型的な用途は、胎児超音波及び胎児ＥＣＧによる胎児心拍数のように（例えば異なる検知技術及び／又は形式や異なる適用部位を用いて）異なるセンサにより同一のパラメータが検知される場合である。また、後者の場合の典型的な用途は、帯域幅の制約といった技術的な制限に起因するものである。いずれの場合にも、センサ200i並びにセンサ120からの１つ又は２つ以上のパラメータ又は信号の選択が必要となる。このため、好適実施例の送信器110は、（好適には処理ユニット160の一部をなす）選択ユニット210を備えている。
【００２６】
該選択ユニット210は、ローカルセンサ120及び／又は接続ユニット170に接続されたリモートセンサ200ｉから供給されたデータの選択を可能にする。選択ユニット210は、例えば帯域幅その他の通信経路の制限に従って、伝達されるべきデータを手動により又は自動的に選択することを可能にする。伝達されるべきデータの選択の基準は、下記の通りとすることができる。
(a)  生理学的なデータ（例えば、２つ以上のセンサが同一パラメータに関するデータを提供する場合には生理学的に最も意味のあるセンサを選ぶ）、
(b)  機械的な情報（例えば、差し込まれているセンサの検出）、
(c)  電気的な情報（例えば、電極インピーダンスの検出）、
(d)  警告状態（例えば、特定の警告が発生した後にパラメータＡを送信する）
(e)  ステータス状況（例えば、患者の特定の状態が検出された場合にのみパラメータＡを送信する）
生理学的なデータ(a)により選択を行う場合、選択ユニット210は、ノイズレベル（例えば、最小限の心拍数ジッタを提供するセンサを選択する）や期待される生理学的な範囲（例えば、明らかに間違ったデータを提供するセンサを排除する）といった所定の基準に従って（ローカルセンサ120及び／又は接続ユニット170に接続されたリモートセンサ200iから）加えられた信号を評価する。これは、測定された信号の前処理を既に表すものとなる。
【００２７】
また、機械的な情報(b)及び／又は電気的な情報(c)により選択を行う場合には、選択ユニット210は、例えば、特定のタイプのパラメータを表すコネクタ又は接続のタイプ又を決定するために、接続ユニット170に接続される。これは、例えば、（例えば、ソフトキー又はハードキーを介した）ディスプレイフィードバックを有し又は有さないスイッチ、指動輪(thumb wheel)、キー、又はタッチパッドにより達成することができる。コネクタ又は接続のタイプは、（例えば形状的又は機械的なコーディングスロット(coding slot)により）機械的に、又は（例えばインピーダンスにより）電気的にコード化することができる。
【００２８】
また、警告状態(d)又はステータス状況(e)により選択を行う場合は、選択ユニット210は、処理ユニット160により提供されるデータに基づいて、送信器110により送信されるべきパラメータを選択する。一好適実施例では、警告及び／又はステータスの優先度が最も高いパラメータが送信される。よって、処理ユニット160は、例えば、超音波信号及び／又は警告の処理から胎児心拍数を決定をするために、相関アルゴリズムといったパラメータ処理を提供することが可能である。アクティブではあるが現在送信されていないパラメータについて検出された警告の場合には、選択ユニット210は、該パラメータ又はその特定の警告状態に関する情報を送信するように切り換わる。例えば、処理ユニット160（例えばディジタル信号プロセッサを有するもの）が胎児の頻拍を検出した場合には、母の体温の送信が停止され、その代わりに胎児の心拍数が送信される。これは、後者が一層高い生理学的な意義を有するからである。
【００２９】
パラメータの手動による切り換えは、例えば、（例えばベースステーションとしての）受信器150又は送信器110におけるプログラミング手段により達成される。このため、受信器150には（例えばＰＣ等の）グラフィカルユーザインターフェイス、又は単純なキーが配設される。送信器110には、キーと小さなディスプレイが配設される。
【００３０】
送信されるパラメータ間の自動的な切り換えが、上述のように警告又はステータス状況に応じて提供されるのが好ましい。
【００３１】
スタンドアロン動作モードでの送信器110の典型的な用途は、ローカルセンサ120により検知されるパラメータを監視するために送信器110を患者に取り付ける場合である。１つ又は２つ以上のリモートセンサ200iが送信器110に接続される送信器110の共用送信動作モードの場合には、典型的な用途は、送信器110並びに１つ又は２つ以上のリモートセンサ200ｉが同一の患者に取り付けられる場合である。しかし、送信器110は、異なる患者からの信号を送信するように使用することが可能であることは明かである（但し実際的ではない）。
【００３２】
一好適実施例では、接続ユニット170は、任意のセンサを所定のプロトコルを介して送信器に接続する事を可能にするインターフェイスを提供する。そのハードウェアは、（例えばパーソナルコンピュータで知られているような）シリアル又はパラレルポート、（例えばパームトップコンピュータで知られている）光学的な赤外線リンク、又は当業界で周知のその他の通信リンクにより実施することが可能である。
【００３３】
特定の一実施例では、ローカルセンサ120を送信器110から省略して、該送信器110がそれ自体検知能力を有さない純粋な送信装置となるようにする。しかし、これもまた上記と同様の利点を有するものとなる。
【００３４】
以下、病院の出産及び分娩病棟で妊娠中の女性を監視するための遠隔計測システムの適用例について詳細に説明する。以下のパラメータが監視に使用できる。
・ 高帯域幅のパラメータ：
胎児超音波、ＥＣＧ波（胎児及び母体）、ＳｐＯ2波（胎児及び母体）、侵襲性血圧波、ガス波（例えばCO2）、ＥＥＧ波、心臓出力波、呼吸波。
・ 低帯域幅のパラメータ：
胎児心拍数、体温、ＮＩＢＰ値、ＳｐＯ2値（胎児及び母体）、侵襲性血圧波、ガス波（例えば、CO2）、外部ＴＯＣＯ、子宮内圧。
【００３５】
処理ユニット160は、以下に示すような当業界で周知の方法を適用して１つのＲＦチャネルに複数のパラメータを組み合わせることを可能にする。
・ 時間多重化
（例えば、追加のパラメータのデータを１つのディジタルシリアルフレーム中に挿入し、該ディジタルシリアルフレームのあらゆるビットが使用されるまでＲＦ搬送波の変調を行うことが可能である）
・ コード多重化
・ 周波数多重化
（例えば、アナログシステムでは、所与のＲＦチャネル帯域幅により制限される副搬送波の最大数に達するまで、１つの追加パラメータにつき１つの副搬送波を追加する）
占有される（例えばＲＦ）帯域幅が所定のチャネル帯域幅を超えない限り、パラメータに関する測定信号を（選択ユニット210により）選択し単独で又は任意の組み合わせで（データ送信ユニット140により）送信することができる。
【００３６】
以下の送信対象パラメータの選択方法又はその任意の組み合わせは、好適実施例の一部とすることが可能である。
・ 例えば（リモートセンサ200等の）胎児頭皮用ＥＣＧ電極を接続してそのリード間のインピーダンスを検出することにより（ローカルセンサ120により検知されるような）胎児の超音波から胎児のＥＣＧへと自動的に切り換える。該リード間のインピーダンスの測定は、例えば小さな検知電流を加えてリードの両端の電圧を監視することにより、実施することができる。該検知電流が一定になると、前記電圧はリード間のインピーダンスに比例するものとなる。リード間のインピーダンスが一定のしきい値を下回り、これにより胎児頭皮用電極が胎児の頭皮に取り付けられていることが示された場合に、選択ユニット210は、胎児の超音波を胎児のＥＣＧに切り換える。この機能は、例えば、出産中に母体の子宮の激しい収縮により胎児の超音波信号が失われた際に胎児超音波から胎児ＥＣＧへ非常に高速に切り換えて中断のない監視時間を最大限にするために、看護婦にとって特に有用なものとなる。
・ 胎児ＳｐＯ2センサを接続してそのモード抵抗を検出することにより、（ローカルセンサ120により検知されるような）胎児ＥＣＧから（リモートセンサ200により検知されるような）胎児ＳｐＯ2へと切り換える。該モード抵抗は、例えば、胎児ＳｐＯ2センサのコネクタ内に配置することができる。該検知は、単純なインピーダンス測定（上記参照）により実行することができる。
・ 個々のＥＣＧ電極を接続し、どの電極が適用されているかを示すリード間のインピーダンスを検出して（リード間インピーダンスの検知については上記実施例を参照）、（ローカルセンサ120により検知されるような）母体ＥＣＧから（リモートセンサ200により検知されるような）胎児ＥＣＧへと切り換える。
・ 子宮内圧センサを接続し、そのモード抵抗を検知することにより、（ローカルセンサ120により検知されるような）外部Ｔｏｃｏから（リモートセンサ200により検知されるような）子宮内圧へと切り換える。前記モード抵抗は、例えば、子宮内圧センサのコネクタ内に配置することができる。該検知は、単純なインピーダンス測定（上記参照）により行うことができる。
【００３７】
以下に示すリモートセンサ200と送信器110との電気的及び機械的な相互接続は、好適実施例の一部とすることが可能である。
・ ローカル胎児センサ120を有する送信器110は、リモート胎児ＥＣＧのための電極コネクタを備えることが可能である。
・ 胎児ＥＣＧ電極のための電極コネクタは、Ｔｏｃｏトランスデューサに機械的に（例えば上部カバー上に）配設することができる。これにより、ユーザは、両方のパラメータを同時に１つのＲＦチャネルで送信することが可能となり、これは特に有用なものとなる。この方法により、２つの基本的な胎児パラメータをたった１つの無線トランスデューサで測定することができるからである。
・ 母体ＥＣＧ電極のための電極コネクタは、Ｔｏｃｏトランスデューサに機械的に（例えば上部カバー上に）配設することができる。これにより、ユーザは、両方のパラメータを同時に１つのＲＦチャネルで送信することが可能となる。これは、胎児心拍数パラメータに関連して（例えば胎児超音波用の無線トランスデューサと共に）使用する場合に特に有用である。その理由は、この方法により、胎児及び母体の心拍数プラスＴｏｃｏをたった２つの無線トランスデューサにより測定することができることにある。このため、（現行の胎児用モニタで既に用いられているような）独自性に関して胎児及び母体の心拍数をチェックするクロスチャネル心拍数の確認を好都合にも無線で行うことが可能となる。
・ ＮＩＢＰ、ＳｐＯ2、体温、及びガスのといった特に低帯域幅のための、リモートセンサ200と送信器110との間での所定のプロトコルを介したディジタルインターフェイス。選択ユニット210は、そのセンサ200が接続されているかを（例えば直列双方向プロトコルを用いて）検知し、送信器110は、そのパラメータ並びにステータス情報を送信する。
【００３８】
以下においては、本発明の種々の構成要件の組み合わせからなる例示的な実施態様を示す。
１．  好適には医療用である無線遠隔計測システム(100)の送信器(110)であって、
前記遠隔計測システム(100)の受信器(150)に対する無線送信を提供するよう構成されたデータ送信ユニット(140)と、
１つ又は２つ以上のセンサ(120,200i)を前記送信器(110)に接続するよう構成された接続ユニット(160,170,210)とを備えている、無線遠隔計測システム(100)の送信器(110)。
２．好適には前記送信器(110)のハウジング(130)内に配置されて第１のパラメータを検知するよう構成されたローカルセンサ(120)を備えており、
前記接続ユニット(160,170,210)が、好適には前記送信器(110)の前記ハウジング(130)の外部に配置された１つ又は２つ以上のリモートセンサ(200i)を前記送信器(110)に接続するよう構成されている、前項１に記載の送信器(110)。
３．前記接続ユニット(160,170,210)が、前記データ送信ユニット(140)によって送信されるべき前記ローカルセンサ(120)及び／又は前記リモートセンサ(200i)から供給されるデータを選択する選択ユニット(210)を備えている、前項２に記載の送信器(110)。
４．前記選択ユニット(210)が、好適には帯域幅又はその他の送信経路の制約に従って、前記データを手動で又は自動的に選択することを可能にするものである、前項３に記載の送信器(110)。
５．前記選択ユニット(210)が、送信すべきデータを、生理学上のデータ、機械的な情報、電気的な情報，警告状態、及び／又はステータス状況の１つ又は２つ以上に従って選択する、前項３又は前項４に記載の送信器(110)。
６．前記接続ユニット(160,170,210)が、任意のセンサを所定のプロトコルを介して前記送信器に接続することを可能にするインターフェイスを提供する、前項１ないし前項５のいずれか一項に記載の送信器(110)。
７．前記接続ユニット(160,170,210)が、前記接続ユニット(160,170,210)に接続された１つ又は２つ以上のセンサ(120,200i)からの検知信号を処理する処理ユニット(160)を備えている、前項１ないし前項６のいずれか一項に記載の送信器(110)。
８．好適には医療用である無線遠隔計測システム(100)であって、
前項１ないし前項７のいずれか一項に記載の送信器(110)と、
受信器(150)とを備えており、
前記送信器(110)及び前記受信器(150)が、それら相互間の無線送信を提供するよう構成されている、無線遠隔計測システム(100)。
【図面の簡単な説明】
【図１】従来の無線遠隔計測システムを示す説明図である。
【図２】本発明による遠隔計測システム100を示すブロック図である。
【符号の説明】
100  無線遠隔計測システム
110  送信器
120  センサ
140  データ送信ユニット
150  受信器
160  接続ユニット
170  接続ユニット
200i  センサ
210  接続ユニット
【図１】
0004837815.tif 000002
【図２】
0004837815.tif 000003